(57)【要約】【課題】  巻尺の高速回転する回転ドラムとケース内壁との断続する接触を従来よりも増して低減できるようにし、また、接触した場合であっても接触を素早く解除できて、接触による騒音や、接触により回転速度が増減することによる振動を、巻尺の使用者が殆ど感じないレベルに低減できる巻尺を提供することを目的とする。【解決手段】  回転ドラム４の軸方向に位置する一側のドラム壁５と、このドラム壁５に対峙するケース内壁６にそれぞれマグネット７、８を配設して、これらマグネット７、８間に生じる磁気反発作用によって、同回転ドラム４を、ドラム壁５と反対側のドラム壁５ａに対向するケース内壁６ａ方向に付勢し、回転ドラムの軸方向の動きを抑制するように構成した。【選択図】  図１
2012008025.tif 000002
【特許請求の範囲】
【請求項１】
ケース内に、測定用テープを周囲に巻回し、同測定用テープを巻き取り方向に付勢する付勢手段を内装した回転ドラムが回転自在に支持された自動巻取り式の巻尺であって、前記回転ドラムの左右の側壁と、各側壁と対峙する左右のケース内壁との間における少なくとも左右いずれか一方の側壁と内壁とのペアに、磁気的に互いに反発する方向となるようにそれぞれマグネットを配設して、これらマグネット間に生じる磁気反発作用により、前記回転ドラムの軸方向の動きを抑制するように構成してなる巻尺。
【請求項２】
前記マグネットを一方の側壁と内壁とのペアに配設し、他方のペア間に低摩擦材よりなる摺動手段を配設してなる請求項１に記載の巻尺。
【請求項３】
前記マグネットを左右両方の側壁と内壁とのペアに配設し、左右のマグネットによる磁気反発作用により、前記回転ドラムをケース内におけるほぼ中間に維持するように構成してなる請求項１に記載の巻尺。
【請求項４】
前記ドラム側壁とケース内壁に設けた磁気反発作用を生じさせるマグネットに加え、同側壁と内壁に、磁気的に互いに吸引する方向となるようにマグネットを配設し、かつ反発するマグネットによる磁気反発作用よりも、吸引するマグネットによる磁気吸引作用が小となるように設定してなる請求項１乃至３に記載の巻尺。
【請求項５】
前記マグネットを、いずれも前記回転ドラムの軸まわりに同心となる環状に配設してなる請求項１乃至４に記載の巻尺。
【発明の詳細な説明】
【技術分野】
【０００１】
本発明は、測定用テープをケース内に自動で巻き取る自動巻き取り式の巻尺に関し、より詳しくは、測定用テープを巻き取る際に生じる騒音や振動を低減できるようにした巻尺に関する。
【背景技術】
【０００２】
従来、測定用テープを巻回する回転ドラムは、ケースの内壁に立設した軸に回転可能に支承されていて、測定用テープがケース外に引き出される時や、同テープをケース内に巻き取る際に、前記軸に案内されて回転する。
【０００３】
この回転ドラムは、成型性や経済性に優れかつ軽量にできる樹脂素材で形成するのが普通であることから、この回転ドラムを支持する軸を樹脂素材で構成した場合は、測定用テープをケース内に巻き取るために高速回転する回転ドラムと軸との接触部位における融着防止のため、また、軸を鋼材などの回転ドラムよりも硬い素材で構成した場合は、回転ドラムと軸との接触部位における回転ドラムの摩耗を防止するため、回転ドラムは軸に遊嵌状態で支持している。
【０００４】
したがって、測定用テープの巻き取りなどで回転ドラムが高速回転すると、回転ドラムの軸方向への振れが大になって同回転ドラムの周縁部などがケース内壁に断続して接触することがあり、この接触による騒音や、接触により回転速度の変化に起因する震動が頻繁に生じていた。
【０００５】
また一部の巻尺には、回転ドラムと軸との接触部位に低摩擦部材をブッシュなどの部材として介在させて回転ドラムと軸との遊びを小にし、回転ドラムが高速回転した場合に、回転ドラムの周縁部などとケース内壁との断続する接触を低減させたものもあるが、引き出された測定用テープが回転ドラムに巻かれていって回転ドラムの重量が大きくなっていくと、高速回転する回転ドラムの姿勢が不安定になって同回転ドラムの周縁部などがケース内壁に断続して接触する場合があり、前述の回転ドラムを軸に遊嵌状態で支持しているものよりは回転ドラムの周縁部などとケース内壁との断続する接触は低減されるものの、接触による騒音や、接触による回転速度の変化に伴う震動が生じていた。
【先行技術文献】
【特許文献】
【０００６】
【特許文献１】特開平１１−１６０００２号公報（第１〜５頁、図１〜４）
【発明の概要】
【発明が解決しようとする課題】
【０００７】
本発明の目的とするところは、高速回転する回転ドラムとケース内壁との断続する接触を従来よりも増して低減できるようにし、また、接触した場合であっても接触を素早く解除できて、接触による騒音や、接触により回転速度が増減することによる震動を、巻尺の使用者が殆ど感じないレベルに低減できる巻尺を提供できるようにすることにある。
【課題を解決するための手段】
【０００８】
上述した課題を解決するために、本発明に係る巻尺は、ケース内に、測定用テープを周囲に巻回し、同測定用テープを巻き取り方向に付勢する付勢手段を内装した回転ドラムが回転自在に支持された自動巻取り式の巻尺であって、前記回転ドラムの左右の側壁と、各側壁と対峙する左右のケース内壁との間における少なくとも左右いずれか一方の側壁と内壁とのペアに、磁気的に互いに反発する方向となるようにそれぞれマグネットを配設して、これらマグネット間に生じる磁気反発作用により、前記回転ドラムの軸方向の動きを抑制するように構成したものとしてある。
【０００９】
また、前記マグネットを一方の側壁と内壁とのペアに配設し、他方のペア間に低摩擦材よりなる摺動手段を配設したものとしてある。
【００１０】
また、前記マグネットを左右両方の側壁と内壁とのペアに配設し、左右のマグネットによる磁気反発作用により、前記回転ドラムをケース内におけるほぼ中間に維持するように構成したものとしてある。
【００１１】
前記ドラム側壁とケース内壁に設けた磁気反発作用を生じさせるマグネットに加え、同側壁と内壁に、磁気的に互いに吸引する方向となるようにマグネットを配設し、かつ反発するマグネットによる磁気反発作用よりも、吸引するマグネットによる磁気吸引作用が小となるように設定したものとしてある。
【００１２】
また、前記マグネットを、いずれも前記回転ドラムの軸まわりに同心となる環状に配設したものとしてある。
【発明の効果】
【００１３】
本発明に係る巻尺によれば、引き出された測定用テープを巻き取っている回転ドラムが高速回転になって軸方向への振れが生じ始めた場合には、回転ドラムの少なくとも一方の側壁と、この側壁に対峙するケース内壁に対となるようにそれぞれ設けたマグネットの間に生じる磁気反発作用がダンパ装置の代わりとなって軸方向の振れを抑え、また、振れによってケース内壁に近づいて行こうとする回転ドラムの側壁をこのケース内壁より離すので、回転ドラムの回転姿勢を常に安定して制御でき、回転ドラムとケース内壁との接触を低減することができる。
【００１４】
また、回転ドラムがケース内壁に接触した場合は、側壁と内壁にそれぞれ設けたマグネットの間に生じる磁気反発作用によって内壁に接触した回転ドラムを素早く内壁より離脱させるので、回転ドラムと内壁とが接触することによる騒音や、接触により回転速度が増減することによる震動を、巻尺の使用者が殆ど感じないレベルにまで低減することができる。
【００１５】
さらに、前記ドラム側壁とケース内壁に、磁気反発作用を生じさせるマグネットに加えてこの磁気反発作用よりも小なる磁気吸引作用を生じさせる対のマグネットを設けているものは、磁気反発作用による回転ドラムの軸方向に生じる振れの低減とともに、磁気吸引作用による回転ドラムの付勢方向に生じる振れも低減することができる。
【００１６】
そして、巻尺機構に影響を及ぼさない範囲内において磁力の強大なマグネットを用いることにより、回転ドラムとケース内壁との接触をゼロに等しくすることも可能である。
【図面の簡単な説明】
【００１７】
【図１】本発明に係る巻尺の第１実施例をケースの測定用テープ出入口と反対のケース背面側から見る内部構造の概略を示す縦断面図。
【図２】図１中に示した回転ドラムの一側のドラム壁におけるマグネットの配設例を示す図。
【図３】図１中に示した回転ドラムの一側のドラム壁におけるマグネットの他の配設例を示す図。
【図４】本発明に係る巻尺の第２実施例をケースの測定用テープ出入口と反対のケース背面側から見る内部構造の概略を示す縦断面図。
【図５】図４中に示した回転ドラムの一側のドラム壁におけるマグネットの配設例を示す図。
【図６】本発明に係る巻尺の第３実施例をケースの測定用テープ出入口と反対のケース背面側から見る内部構造の概略を示す縦断面図。
【図７】本発明に係る巻尺の第４実施例をケースの測定用テープ出入口と反対のケース背面側から見る内部構造の概略を示す縦断面図。
【図８】巻尺の一例を示す斜視図。
【発明を実施するための形態】
【００１８】
以下、本発明に係る巻尺の第１実施例を、添付図面に示す具体例に基づいて詳細に説明する。
【００１９】
本巻尺は、図１に示すように、巻尺１の本体たるケース２内の軸３に回転自在に支持した回転ドラム４の軸方向に位置する回転ドラムの左右の側壁のうちの、一側のドラム壁５と、このドラム壁５に対峙する一側のケース内壁６とのペアに、同じ極性の磁極を対向させてそれぞれマグネット７、８を配設している。
【００２０】
そしてマグネット７、８を設けた側の反対側となる、すなわち他方のペアである回転ドラム４における他側のドラム壁５ａと他側のケース内壁６ａとの間に、低摩擦材よりなる摺動手段たる潤滑油を染み込ませたブッシュ９を設けている。
【００２１】
これらマグネット７、８の平面視における配設例を説明する。
マグネット７のドラム壁５への配設は、回転ドラム４の軸まわりに同心とする環状に、例えば、リングプレート状のマグネット（図２参照）を配設している。この場合、ケース内壁におけるマグネット８は、このマグネット７に対峙して配設する（図示せず）。
【００２２】
また、マグネット７の他の配設例として、複数のプレート状のマグネットをドラム壁５にリング状に並べて配設する場合もある（図３参照）。
【００２３】
また、ドラム壁やケース内壁に配設するマグネットの形状や位置は、磁気反発作用を生じて回転ドラムが軸方向の一方に偏るような力を加えられる付勢力を有するように選択すればよい。
【００２４】
以下、上述のように構成した本発明に係る巻尺の作用について説明する。
【００２５】
停止時における回転ドラム４は、一側のドラム壁５とケース内壁６に設けたマグネット７、８間に生じる磁気反発作用によって、他側のドラム壁５ａに対向するケース内壁６ａ方向に付勢され、ドラム壁５ａとケース内壁６ａとの間に有するブッシュ９に同ドラム壁５ａを接触させている。
【００２６】
回転ドラム４が回転する場合は、マグネット７、８間に生じる磁気反発作用によって、ドラム壁５とケース内壁６との間に隙間を開け、かつ、ドラム壁５ａをブッシュ９に接触させながら回転する。
【００２７】
そして、回転ドラム４が高速回転になって同回転ドラムの軸方向への振れが生じ始めた場合には、マグネット７、８間に生じる磁気反発作用がダンパ装置の代わりとなって軸方向の動きを抑えるとともに、ケース内壁６に近づこうとするドラム壁５すなわち回転ドラム４を、ケース内壁６より離す。
【００２８】
さらに、ドラム壁５がケース内壁６に接触した場合には、マグネット７、８間に生じる磁気反発作用によって、ケース内壁６に接触したドラム壁５すなわち回転ドラム４を素早くケース内壁６より離脱させる。
【００２９】
なお本実施例では、マグネットを、ケース外壁にベルトクリップを備える側と反対側のケース内壁６とドラム壁５に配設してあるが、マグネットの配設は、左右の対峙するドラム壁とケース内壁のペアのどちら側でもよい。
【００３０】
そして、図４に示す第２実施例は、同じ極性の磁極を対向させて回転ドラム４のドラム壁５とケース内壁６にそれぞれ配設したマグネット７、８に加えて、同ドラム壁５とケース内壁６にそれぞれマグネット１０、１１および１２、１３を配設し、マグネット１０、１１は同じ極性の磁極を対向させ、マグネット１２、１３は異なる極性の磁極を対向させ、かつ、マグネット１２、１３間に生じる磁気作用力を、マグネット７、８間および１０、１１間に生じる合計の磁気作用力よりも小なる磁気作用力にしている。
【００３１】
停止時における回転ドラム４は、一側のドラム壁５とケース内壁６に設けたマグネット７、８間および１０、１１間にそれぞれ生じる磁気反発作用によって、他側のドラム壁５ａに対向するケース内壁６ａ方向に付勢され、ドラム壁５ａとケース内壁６ａとの間に有するブッシュ９に同ドラム壁５ａを接触させている。
【００３２】
また、マグネット１２、１３間に生じる磁気吸引作用によって、ドラム壁５すなわち回転ドラム４にはケース内壁６方向への引き付け力が作用している。
【００３３】
回転ドラム４が回転する場合は、マグネット７、８間および１０、１１間にそれぞれ生じる磁気反発作用によって、ドラム壁５とケース内壁６との間に隙間を開け、かつ、ドラム壁５ａをブッシュ９に接触させながら回転する。
【００３４】
そして、回転ドラム４が高速回転になって同回転ドラムの軸方向への振れが生じ始めた場合には、マグネット７、８間および１０、１１間にそれぞれ生じる磁気反発作用がダンパ装置の代わりとなって動きを抑えるとともに、ケース内壁６に近づこうとするドラム壁５すなわち回転ドラム４を、ケース内壁６より離す。
【００３５】
また、回転ドラム４が高速回転になって回転方向、すなわちケース周回壁１４方向への振れが生じ始めた場合には、マグネット１２、１３間に生じる磁気吸引作用によって同回転ドラム４の振れを抑制する。
【００３６】
さらに、回転ドラム４のドラム壁５がケース内壁６に接触した場合には、マグネット７、８間および１０、１１間にそれぞれ生じる磁気反発作用によって、ケース内壁６に接触したドラム壁５すなわち回転ドラム４を素早くケース内壁６より離脱させる。
【００３７】
そして本巻尺の第３実施例は、図６に示すように、巻尺１の本体たるケース２内の軸３に回転自在に支持した回転ドラム４の軸方向と直交する側に位置する両側のドラム壁５、５ａと、このドラム壁５、５ａにそれぞれ対峙するケース内壁６、６ａに、同じ極性の磁極を対向させてマグネット７、７ａと８、８ａをそれぞれ配設している。
【００３８】
この場合、図１に示したブッシュ９は必要なくなるが、回転ドラム４や回転ドラム４を支持する軸３の形態などによっては、ブッシュ９を回転ドラム４のドラム壁５とケース内壁６、ドラム壁５ａとケース内壁６ａとの間の一方あるいは両方に設けてもよい。
【００３９】
停止時における回転ドラム４は、マグネット７、８間に生じる磁気反発作用によって、ドラム壁５ａに対峙するケース内壁６ａ方向に付勢され、かつ、マグネット７ａ、８ａ間に生じる磁気反発作用によって、ドラム壁５に対峙するケース内壁６方向に付勢させられて、ケース内壁６、６ａのほぼ中間に維持される。
【００４０】
回転ドラム４が回転する場合は、マグネット７、８間およびマグネット７ａ、８ａ間にそれぞれ生じる磁気反発作用によって、ドラム壁５とケース内壁６およびドラム壁５ａとケース内壁６ａの間にそれぞれ隙間を開け、すなわち、回転ドラム４はケース内壁６、６ａのほぼ中間位置にて回転する。
【００４１】
そして、回転ドラム４が高速回転になって同回転ドラムの軸方向への振れが生じ始めた場合には、マグネット７、８間およびマグネット７ａ、８ａ間にそれぞれ生じる磁気反発作用がダンパ装置の代わりとなって動きを抑えるとともに、ケース内壁６、６ａに近づこうとするドラム壁５、５ａすなわち回転ドラム４を、ケース内壁６、６ａより離す。
【００４２】
さらに、回転ドラム４のドラム壁５、５ａがケース内壁６、６ａに接触した場合には、マグネット７、８間およびマグネット７ａ、８ａ間にそれぞれ生じる磁気反発作用によって、ケース内壁６、６ａに接触したドラム壁５、５ａすなわち回転ドラム４を素早くケース内壁６、６ａより離脱させる。
【００４３】
また、図７に示した第４実施例のように、図４に示した第２実施例の一側にマグネットを配設したものの他側にも一側と同様に配設する場合もある。
【００４４】
そして、マグネットには、ネオジムを主原料とする高性能な希土類磁石や、加工性に富む塑性加工磁石を用いる場合がある。
【００４５】
実施例における図中の符号１５は、巻尺１の測定用テープ、符号１６は、ケース２における測定用テープ１５の出入り口、符合１７は、測定用テープ１５先端を係着するための係止片、符号１８は、巻尺１を携帯する際に作業者のベルトに係着するためのベルトクリップ、符号１９は、測定用テープ１５を回転ドラム４の周囲に巻き取るための巻き取りばね、符号２０は、回転ドラム４における軸３の通孔、符号２１は、軸３の軸受け部、符号２２は、測定用テープ１５を引き出した位置で固定するためのブレーキレバーである。
【００４６】
また、本発明の回転ドラムの左右の側壁は、回転ドラムのフランジも含むものとする。
【符号の説明】
【００４７】
１  巻尺
２  ケース
３  軸
４  回転ドラム
５  ドラム壁
５ａ  ドラム壁
６  ケース内壁
６ａ  ケース内壁
７  マグネット
７ａ  マグネット
８  マグネット
８ａ  マグネット
９  ブッシュ
１０  マグネット
１０ａ  マグネット
１１  マグネット
１１ａ  マグネット
１２  マグネット
１２ａ  マグネット
１３  マグネット
１３ａ  マグネット
１４  ケース周回壁
１５  測定用テープ
１６  出入り口
１７  係止片
１８  ベルトクリップ
１９  巻き取りばね
２０  通孔
２１  軸受け部
２２  ブレーキレバー
【図１】
2012008025.tif 000003
【図２】
2012008025.tif 000004
【図３】
2012008025.tif 000005
【図４】
2012008025.tif 000006
【図５】
2012008025.tif 000007
【図６】
2012008025.tif 000008
【図７】
2012008025.tif 000009
【図８】
2012008025.tif 000010